(57)【特許請求の範囲】
【請求項１】
自動端子挿入装置のベースＢに固定される端子ホルダ１と、この端子ホルダ１に形成した前後方向の端子挿入溝５を開閉する蓋体２とから成り、前記蓋体２を閉じたとき、前記蓋体２は前記端子ホルダ１に保持され、また、前記蓋体２に設けた係止部材９が前記端子挿入溝５に斜め後方へ向かって突出し、この状態で前記端子挿入溝５の前端開口から端子Ｔを挿入すると、前記係止部材９の先端が端子Ｔの段部ｂに係合するようにしたことを特徴とする自動端子挿入装置における端子仮保持治具。
【発明の詳細な説明】
【０００１】
【発明の属する技術分野】
この発明は、ワイヤーハーネスを構成する仮結束回路を自動端子挿入装置で製造する際、後入れ端子を一時的に保持する端子仮保持治具に関するものである。
【０００２】
【従来の技術】
一般に、多数の電線からなる自動車用ワイヤハーネスを製造する際には、まず比較的少数の電線から仮結束回路を製作し、複数の仮結束回路を組み合わせて本結束回路を構成する。
【０００３】
ところで、上記仮結束回路には、本結束時や自動車の装置への接続時までコネクタハウジングに挿入しない後入れ端子が存在する場合があり、このような後入れ端子を垂れ下がらせておくと、その端子に取り付けられた電線が他の電線に絡まって後の工程に支障を来したり、端子自体が変形してコネクタハウジングに挿入できなくなったりする恐れがある。
【０００４】
その対策として、例えば、特願平６−１９９６６４（特開平８−６４３３３）で示した仮保持治具を使用して、自動端子挿入装置での仮結束回路の製作時に後入れ端子を一時的に保持しておくことが考えられる。
【０００５】
【発明が解決しようとする課題】
しかしながら、上記のような仮保持治具では、後の工程への移行時に端子を取り出す際、端子及び電線を軸線方向にスライドさせなければならず、作業性が悪いという問題がある。
【０００６】
そこで、この発明は、自動端子挿入装置において、後入れ端子を確実に保持でき、かつ迅速に取り出すことができる端子仮保持治具を提供しようとするものである。
【０００７】
【課題を解決するための手段】
上記課題を解決するため、この発明に係る端子仮保持治具は、自動端子挿入装置のベースに固定される端子ホルダと、この端子ホルダに形成した前後方向の端子挿入溝を開閉する蓋体とから成り、前記蓋体を閉じたとき、前記蓋体は前記端子ホルダに保持され、また、前記蓋体に設けた係止部材が前記端子挿入溝に斜め後方へ向かって突出し、この状態で前記端子挿入溝の前端開口から端子を挿入すると、前記係止部材の先端が端子の段部に係合するようにしたのである。
【０００８】
この端子仮保持治具では、端子挿入溝に挿入した後入れ端子が、係止部材との係合により、端子挿入溝から抜け出すことなく確実に保持される。
【０００９】
また、ベースの回転に伴い上下反転した状態で蓋体を開くと、端子を電線と共に押し下げて容易に取り出すことができる。
【００１０】
【発明の実施の形態】
以下、この発明の実施の形態を添付図面に基づいて説明する。
【００１１】
この発明に係る端子仮保持治具Ｊは、自動端子挿入装置のベースＢに取り付けられ、仮結束回路Ｖの構成時にコネクタハウジングＣには挿入されない後入れ端子Ｔを一時的に保持するものである。ベースＢの一側で作製された仮結束回路Ｖは、ベースＢの回転により他側で取り出され、その後に次のコネクタハウジングＣがセットされる。
【００１２】
この端子仮保持治具Ｊは、図２乃至図４に示すように、端子ホルダ１と蓋体２とから成り、端子ホルダ１は、基板３を介してベースＢに固定され、蓋体２は、端子ホルダ１の一側にピン４を介して起伏自在に連結されている。端子ホルダ１には前後方向の端子挿入溝５が多数並行して形成され、これらの端子挿入溝５は蓋体２の起伏に伴い開閉される。また、端子挿入溝５の前端は、端子ホルダ１の前面で開口している。
【００１３】
前記端子ホルダ１の他側には磁石６が取り付けられ、蓋体２の先端部には磁着部７と摘まみ８とが設けられている。また、蓋体２には、裏面側へ向かう櫛歯状の板ばねから成る係止部材９が取り付けられている。そして、蓋体２を閉じたとき、磁着部７が磁石６に吸い着けられて蓋体２は端子ホルダ１に保持され、係止部材９は端子挿入溝５に斜め後方へ向かって突出する。
【００１４】
いま、上記のような端子仮保持治具Ｊを用いて仮結束回路Ｖを製造する際、図５（Ａ）に示すように、端子挿入溝５の前端開口から端子Ｔを挿入すると、図５（Ｂ）、（Ｃ）に示すように、端子Ｔは係止部材９を上方へ反らせつつ端子挿入溝５に進入し、端子Ｔの先端筒状部ａが係止部材９を通過したとき、図５（Ｄ）に示すように、係止部材９は弾性で元の状態に復元する。この状態において、図５（Ｅ）に示すように、端子Ｔを引っ張ると、係止部材９の先端が端子Ｔの段部ｂに係合して、端子Ｔは端子挿入溝５から抜け止めされるので、端子Ｔは垂れ下がることなく保持される。
【００１５】
そして、仮結束回路Ｖが完成すると、ベースＢが回転し、図６に示すように、端子仮保持治具Ｊは上下反転する。このとき、蓋体２は、磁石６の磁力により端子ホルダ１に吸着保持されているので、自重で開くことはない。
【００１６】
その後、次の工程への移行に際し、端子仮保持治具Ｊから端子Ｔを取り出すには、図７に示すように、摘まみ８を押し下げ、磁石６から磁着部７を離反させて蓋体２を開き、端子Ｔを電線Ａと共に押し下げる。このような動作により、端子仮保持治具Ｊから端子Ｔを容易に取り出すことができる。
【００１７】
なお、端子Ｔを端子仮保持治具Ｊから取り出した後、後の端子挿入作業に備えて蓋体２を閉じる必要があるが、このとき蓋体２を閉じ忘れても、蓋体２の先端がベースＢの下方に位置するストッパＳに受け止められるので、ベースＢが回転して端子仮保持治具Ｊが正立したとき、蓋体２は自重で閉じることとなり、作業ミスによる能率の低下が防止される。
【００１８】
【発明の効果】
以上説明したように、この発明に係る端子仮保持治具では、端子挿入溝に挿入した後入れ端子が、係止部材との係合により、端子挿入溝から抜け出すことなく確実に保持されるので、後入れ端子の損傷や電線の絡みが防止される。
【００１９】
また、ベースの回転に伴い上下反転した状態で蓋体を開くと、端子を電線と共に押し下げて容易に取り出すことができるので、作業性が向上する。
【図面の簡単な説明】
【図１】この発明に係る端子仮保持治具の使用状態を示す斜視図
【図２】同上の端子仮保持治具の蓋体を閉じた状態を示す斜視図
【図３】同上の蓋体を開いた状態を示す斜視図
【図４】同上の要部切欠斜視図
【図５】同上の端子挿入溝への端子挿入過程を示す縦断側面図
【図６】同上の端子仮保持治具の上下反転状態を示す正面図
【図７】同上の端子取出状態を示す正面図
【符号の説明】
Ｊ  端子仮保持治具
Ｔ  端子
ａ  先端筒状部
ｂ  段部
Ａ  電線
Ｂ  ベース
１  端子ホルダ
２  蓋体
３  基板
４  ピン
５  端子挿入溝
６  磁石
７  磁着部
８  摘まみ
９  係止部材
【図１】
0003603681.tif 000002
【図２】
0003603681.tif 000003
【図３】
0003603681.tif 000004
【図４】
0003603681.tif 000005
【図５】
0003603681.tif 000006
【図６】
0003603681.tif 000007
【図７】
0003603681.tif 000008